(57)【要約】      （修正有）【課題】前後両方から履くことができるだけでなく、履き心地を飛躍的に高めたサンダルを提供する。【解決手段】サンダル１は、台２上で交差して延びる２本のベルト部１４を備える。２本のベルト部の両端部１５は、それぞれ舌片１１を介して台に取り付けられ、ベルト部の端部と舌片とが回転可能に連結されている。サンダルは、ベルト部の端部と舌片とを互いに重なった状態で軸支する留め具１３を備える。【選択図】図１
0003220234.tif 000002
【実用新案登録請求の範囲】
【請求項１】
台の上で交差して延びる２本のベルト部を備えたサンダルであって、
上記２本のベルト部の両端部は、それぞれ舌片を介して台に取り付けられており、
上記ベルト部の端部と上記舌片とが回転可能に連結されている、サンダル。
【請求項２】
請求項１に記載のサンダルにおいて、
上記ベルト部の端部と上記舌片とを互いに重なった状態で軸支する留め具を備えている、サンダル。
【請求項３】
請求項１又は２に記載のサンダルにおいて、
上記ベルト部の端部は、上記舌片の外側面に重ねて配置されている、サンダル。
【考案の詳細な説明】
【技術分野】
【０００１】
本考案は、両方向から履けるサンダルに関する。
【背景技術】
【０００２】
例えば、住宅やマンションのベランダには、外履き用のサンダルが置かれているが、出入りの度にサンダルの向きを揃えることが煩わしいという問題がある。したがって、ベランダから室内へ入るときに、サンダルのつま先が室内側へ向いたままで配置されることがある。この場合、次回、ベランダへ出る際にサンダルの向きが逆向きになっているために、サンダルが履きづらくなる。この種の問題は、ホテルの浴場や病院のトイレ等に配置されるサンダルについても同様に生ずる。
【０００３】
この問題に対し、例えば特許文献１に開示されるように、両方向から履くことができるサンダルが知られている。特許文献１のサンダルは、台の上面における前後に鼻緒が一本ずつ交差するように設けられている。一方の鼻緒は二重構造になっており、その二重の鼻緒の間にもう一方の鼻緒が挿通されている。この構成により、特許文献１のサンダルは、両方から履くことができると共に、鼻緒の交差位置が前後に移動可能となっている。
【先行技術文献】
【特許文献】
【０００４】
【特許文献１】実用新案登録第３０３０１５０号公報
【考案の概要】
【考案が解決しようとする課題】
【０００５】
しかし、上記特許文献１のサンダルは、足に履いたときに鼻緒の交差位置が甲の上でつま先側へ移動するものの、足の側方において鼻緒との間に隙間が生じることが避けられず、つま先部分と足首側部分との双方を鼻緒によってしっかりと固定することができないという問題がある。したがって、特許文献１のサンダルでは、両方向から履くことができるものの、その履き心地を高めることが難しい。
【０００６】
本考案は、かかる点に鑑みてなされたものであり、その目的とするところは、サンダルの構成に改良を加えることにより、両方から履くことができるだけでなく、履き心地をも飛躍的に高めようとすることにある。
【課題を解決するための手段】
【０００７】
第１の考案に係るサンダルは、台の上で交差して延びる２本のベルト部を備えたサンダルであって、上記２本のベルト部の両端部は、それぞれ舌片を介して台に取り付けられており、上記ベルト部の端部と上記舌片とが回転可能に連結されている。
【０００８】
第２の考案に係るサンダルは、上記第１の考案において、上記ベルト部の端部と上記舌片とを互いに重なった状態で軸支する留め具を備えていることを特徴とする。
【０００９】
第３の考案に係るサンダルは、上記第１又は第２の考案において、上記ベルト部の端部は、上記舌片の外側面に重ねて配置されていることを特徴とする。
【考案の効果】
【００１０】
第１の考案によれば、台の上で交差して延びる２本のベルト部の端部が、それぞれ舌片を介して台に取り付けられた構成であるので、台の一方側及び他方側の両方向から履くことができる。しかも、当該サンダルを履く場合、つま先を台の一方側から差し入れて台の他方側へ挿入するときに、ベルト部の各端部が舌片に対してそれぞれ回転し、足の厚みが大きい足首側ではベルト部の２つの端部が左右に押し広げられると同時に、足の厚みが小さいつま先側ではベルト部の２つの端部が互いに近づいて絞り形状となる。そのことにより、つま先側及び足首側の双方において足をしっかりと固定することができる。このサンダルを逆側から履く場合も同様にして履くことができる。つまり、本考案のサンダルは、両方から履くことができるだけでなく、履き心地をも飛躍的に高めることができるのである。
【００１１】
第２の考案によれば、ベルト部の端部と舌片とを互いに重なった状態で軸支する留め具を備えることにより、ベルト部の端部と舌片とを回転可能に連結する構成を好適に実現できる。
【００１２】
第３の考案によれば、ベルト部の端部を舌片の外側面に重ねて配置することにより、舌片に対して足とは反対側である外側でベルト部の端部が動くことになるので、サンダルの履き心地をさらに高めることができる。
【図面の簡単な説明】
【００１３】
【図１】図１は、本実施形態におけるサンダルの外観を示す斜視図である。
【図２】図２は、本実施形態のサンダルを上方から見た平面図である。
【図３】図３は、本実施形態のサンダルを側方から見た側面図である。
【図４】図４は、本実施形態のサンダルを履いた状態を示す斜視図である。
【図５】図５は、本実施形態のサンダルを一方から履いた状態を示す平面図である。
【図６】図６は、本実施形態のサンダルを他方から履いた状態を示す平面図である。
【考案を実施するための形態】
【００１４】
以下、本考案の実施形態を図面に基づいて詳細に説明する。尚、本考案は、以下の実施形態に限定されるものではない。
【００１５】
図１は、本実施形態におけるサンダル１を示す斜視図である。図２はサンダル１の平面図であり、図３はサンダル１の側面図である。図４は、サンダル１を履いた状態を示す斜視図である。図５はサンダル１を一方から履いた状態の平面図であり、図６はサンダル１を他方から履いた状態の平面図である。
【００１６】
図１〜図４に示すように、サンダル１は、足を乗せる部分である台２と、台２の上で交差して延びる２本のベルト部１４とを備えている。２本のベルト部１４の両端部１５は、それぞれ舌片１１を介して台２に取り付けられている。
【００１７】
台２は、つま先側又は踵側の方向である前後方向（図２及び図３で左右方向）に長く延びる板状に形成されている。図２に示すように、台２の前後方向の端部は、円弧状に形成される一方、台２の幅方向（図２で上下方向）の端部は僅かに内側に窪んだ曲線状に形成されている。
【００１８】
台２は、底材４と、底材４の上に積層された中敷３とを有している。中敷３は、例えば合成皮革等によって構成されている。また、底材４は、例えばＥＶＡによって形成されている。したがって、台２は、加水分解せず耐久性に優れると共に軽量なものとなっている。尚、台２の材質は、これらに限られるものではない。
【００１９】
２本のベルト部１４は、互いに同じ長さを有する帯材からなり、その端部１５がそれぞれ円弧状に形成されている。ベルト部１４は、例えば、同じ幅で直線状に延びる帯材とすることができる。また、ベルト部１４は、例えば合成皮革等の柔軟性を有する部材によって構成されている。
【００２０】
舌片１１は、例えば合成皮革等の柔軟性を有する板材片からなり、図１及び図２に示すように、台２の幅方向両側にそれぞれ２つずつ間隔をおいて設けられている。舌片１１は、その幅方向が前後に延びる向きに配置された状態で、基端側が台２の上面に取付固定されている。
【００２１】
一方、舌片１１の先端部分１２は、円弧状に形成されており、台２に対して左右に揺動できるようになっている。尚、ベルト部１４及び舌片１１の材質や形状は、上述の構成に限られるものではない。また、舌片１１の基端側は、台２の上面に限らず台２の側面に取付固定する構成としてもよい。
【００２２】
そして、ベルト部１４の端部１５と舌片１１の先端部分１２とは、回転可能に連結されている。すなわち、サンダル１は、ベルト部１４の端部１５と舌片１１とを互いに重なった状態で軸支する留め具１３を備えている。留め具１３には、例えばホックやピン等を適用することができる。これにより、ベルト部１４の端部１５と舌片１１の先端部分１２とを、好適に回転可能な状態で連結できる。
【００２３】
また、ベルト部１４の端部１５は、舌片１１の外側面に重ねて配置された状態で、当該舌片１１の先端部分１２に連結されている。尚、ベルト部１４の端部１５は、舌片１１の内側面に重ねて配置することも可能であるが、上記の通り外側に重ねることが望ましい。
こうして、図４に示すように、サンダル１を履いた状態で、ベルト部１４及び舌片１１は、足５の側面及び甲の一部を覆うようになっている。
【００２４】
上述の通り、本考案のサンダル１は、台２の上で交差して延びる２本のベルト部１４の端部１５が、それぞれ舌片１１を介して台２に取り付けられた構成であるので、図５及び図６に示すように、台２の長さ方向の一方側と他方側の両方から履くことができる。
【００２５】
しかも、サンダル１を履く場合、例えば図５に示すように、つま先を台２の一方側（図５で右側）から差し入れて台２の他方側（図５で左側）へ挿入するときに、ベルト部１４の各端部１５が舌片１１に対してそれぞれ回転し、足５の厚みが大きい足首側（踵７側）ではベルト部１４の２つの端部１５が舌片１１と共に左右に押し広げられると同時に、足５の厚みが小さいつま先６側ではベルト部１４の２つの端部１５が舌片１１と共に互いに内側へ近づいて絞り形状となる。そのことにより、つま先６側及び足首側の双方において、ベルト部１４及び舌片１１が足に密着した状態となり、足５をしっかりと固定することができる。
一方、図６に示すように、このサンダル１を逆側から履く場合も、上述した図５の場合と同様に足５をしっかりと固定しながら履くことができる。
【００２６】
このように、本考案によれば、サンダル１を履く際に、足首側においてベルト部１４の２つの端部１５が舌片１１と共に押し広げられる変形動作と、つま先６側においてベルト部１４の２つの端部１５が舌片１１と共に絞り形状となる変形動作とが、同時に且つ連続して行われ、しかも、この変形動作の間は、ベルト部１４及び舌片１１と足５との密着状態が維持されるのである。
したがって、本考案のサンダル１は、両方から履くことができるだけでなく、つま先６側及び足首側の双方において、足５をベルト部１４及び舌片１１により確実に固定できることから、履き心地をも飛躍的に高めることができるのである。
【００２７】
加えて、ベルト部１４の端部１５を舌片１１の外側面に重ねて配置する構成としたので、舌片１１に対して足５とは反対側である外側でベルト部１４の端部１５が動くこととなり、サンダル１の履き心地をさらに高めることができる。
【産業上の利用可能性】
【００２８】
以上説明したように、本考案は両方から履くことができるサンダルについて有用である。
【符号の説明】
【００２９】
１  サンダル
２  台
１１  舌片
１３  留め具
１４  ベルト部
１５  端部
【図１】
0003220234.tif 000003
【図２】
0003220234.tif 000004
【図３】
0003220234.tif 000005
【図４】
0003220234.tif 000006
【図５】
0003220234.tif 000007
【図６】
0003220234.tif 000008